(57)【特許請求の範囲】
【請求項１】
部屋の広さを検知する広さ検知部と、
前記部屋の温度を検知する温度検知部と、
前記検知された部屋の広さと、運転開始後の検知温度と該運転開始後の所定時間後の検知温度との温度差に基づき前記部屋の気密性・断熱性を検知する気密断熱性検知部と、
空調制御部と、を有する
ことを特徴とする空気調和機。
【請求項２】
前記空気調和機は、前記部屋を撮像する撮像部を有し、
前記広さ検知部は、前記撮像部で撮像された画像に基づき前記部屋の広さを検知する
ことを特徴とする請求項１に記載の空気調和機。
【請求項３】
前記空調制御部は、暖房運転時に、前記検知された部屋が広いほど、上下風向板を上向きにする、又は上向きにしている時間を長くする
ことを特徴とする請求項１の空気調和機。
【請求項４】
前記空調制御部は、暖房運転時に、前記検知された部屋が広いほど、送風ファンの風量を増加させる
ことを特徴とする請求項３の空気調和機。
【請求項５】
前記空調制御部は、冷房運転時に、前記検知された部屋が広いほど、上下風向板を上向きにする、又は上向きにしている時間を長くする
ことを特徴とする請求項１の空気調和機。
【請求項６】
前記空調制御部は、冷房運転時に、前記検知した部屋が広いほど、送風ファンの風量を増加させる
ことを特徴とする請求項５の空気調和機。
【請求項７】
前記広さ検知部は、室内機が設置された壁面から対向する壁までの距離を算出し、
前記空調制御部は、前記算出した距離が長いほど上下風向板を上向きにし、風量を増加させる
ことを特徴とした請求項１に記載の空気調和機。
【請求項８】
前記空気調和機は、
前記広さ検知部で検知された部屋が広いほど、前記温度検知部の検知値を暖房時には低く、冷房時には高く補正する補正部と、を有する
ことを特徴とする請求項１に記載の空気調和機。
【請求項９】
前記補正部は、前記検知された部屋の広さ及び部屋の気密性・断熱性に応じて、前記温度検知部で検知された温度を補正する
ことを特徴とする請求項８に記載の空気調和機。
【請求項１０】
前記補正部は、前記検知された部屋の広さ及び部屋の気密性・断熱性に応じて、サーモオフ運転からの復帰の温度設定を補正する
ことを特徴とする請求項８に記載の空気調和機。
【発明の詳細な説明】
【技術分野】
【０００１】
本発明は、風量や風向、設定温度の補正を可能とする空気調和機に関する。
【背景技術】
【０００２】
空気調和機においては、その能力の大きさによって設置される部屋の広さが設定されているが、近年、住宅の高気密、高断熱化により、空調に対する熱負荷が小さくなってきている。これに対応するため、各種機能が提案されている。
【０００３】
特許文献１では、空調負荷を検出し、その負荷に基づいて、各種アクチュエ−タを制御する制御装置を備えた空気調和装置において、空気調和機を設置する住宅の気密性能あるいは断熱性能に基づいて選択する選択手段を設け、制御装置は選択手段により選択された内容に応じてアクチュエ−タの制御パラメ−タを決定して制御することが開示されている。
【０００４】
また、特許文献２では、暖房運転時操作部からの運転指令によって、室温と設定温度の温度差に応じて送風ファンを運転制御する制御装置を備え、操作部または制御装置からの信号によって回動するルーバーモータを備えた空気調和機において、操作部には被空調空間の大きさを選択する畳数切換スイッチを設けている。この畳数切換スイッチにて基準畳数より小さい畳数が選択された場合には送風ファンの回転数を所定回転数小さくすると共に水平羽根の角度を所定角度下向きにし、大きい畳数が選択された場合には送風ファンの回転数を所定回転数大きくすると共に水平羽根の角度を所定角度上向きにする畳数切換制御手段を設けたことが開示されている。
【先行技術文献】
【特許文献】
【０００５】
【特許文献１】特開２００１−３４３１４５号公報
【特許文献２】特開２００３−２１４６４４号公報
【発明の概要】
【発明が解決しようとする課題】
【０００６】
特許文献１では、気密性能あるいは断熱性能に基づいて選択する選択手段により、特許文献２では、畳数切換スイッチの選択により、空調制御の内容を変更するが、いずれも、その部屋の状況に応じて適切に選択されるかが問題となる。
【０００７】
今後、住宅の高気密、高断熱化がさらに高性能化すると、同一能力の空気調和機においても、より広い部屋への対応が可能となり、従来の木造住宅のような部屋から、このような高性能の部屋まで幅広い大きさの部屋に空気調和機が設置されることになる。
【０００８】
一方で、空気調和機の風量や風向は、その能力クラスの設置される標準的な部屋の広さを想定して最適になるようなパラメータを設定しているため、より広い部屋に設置されると、空調された送風の循環が十分に行われず、能力的には十分でも室内温度の不均一が生じてしまい、空気調和機の近傍のみが設定温度に到達しても、空気調和機から離れたところでは設定温度にならないという問題がある。
【０００９】
本発明は、前記の課題を解決するための発明であって、部屋の広さ、部屋の気密性・断熱性（気密断熱性）に応じて適切に空調制御することができる空気調和機を提供することを目的とする。
【課題を解決するための手段】
【００１０】
前記目的を達成するため、本発明の空気調和機は、部屋の広さを検知する広さ検知部と、部屋の温度を検知する温度検知部と、検知された部屋の広さと、運転開始後の検知温度と該運転開始後の所定時間後の検知温度との温度差に基づき部屋の気密性・断熱性を検知する気密断熱性検知部と、空調制御部と、を有することを特徴とする。本発明のその他の態様については、後記する実施形態において説明する。
【発明の効果】
【００１１】
本発明によれば、部屋の広さ、部屋の気密性・断熱性に応じて適切に空調制御することができる。
【図面の簡単な説明】
【００１２】
【図１】本実施形態に係る空気調和機の全体構成を示す図である。
【図２】本実施形態に係る空気調和機の制御部の構成を示す図である。
【図３】部屋の奥行き方向の距離の算出処理を示す図であり、（ａ）は画像における消失点の縦の位置を示す図であり、（ｂ）は消失点の縦の位置とコーナまでの距離との関係を示す図である。
【図４】部屋の大きさ、部屋の気密性・断熱性に基づく、室温センサの読込み値と部屋の平均温度との温度差を示す図である。
【図５】部屋の大きさ、部屋の気密性・断熱性に基づく、暖房時におけるサーモオフ時の室温の低下速度を示す図である。
【図６】室温の温度補正処理及びサーモオフ復帰（サーモ復帰）の温度補正処理を示すフローチャートである。
【図７】狭い部屋の場合の温度補正処理を示すフローチャートである。
【図８】平均的な部屋の場合の温度補正処理を示すフローチャートである。
【図９】広い部屋の場合の温度補正処理を示すフローチャートである。
【図１０】部屋の大きさが変更される場合の例を示す図であり、（ａ）は和室と洋室とがスライドドアで仕切られている場合、（ｂ）はスライドドアが開放された場合である。
【発明を実施するための形態】
【００１３】
本発明を実施するための実施形態について、適宜図面を参照しながら詳細に説明する。
図１は、本実施形態に係る空気調和機の全体構成を示す図である。空気調和機ＡＣは、室内機２０、室外機１０、及び室内機２０に操作信号を送信するリモコン４０を備える。室内機２０及び室外機１０は、接続配管６０で接続される。室内機２０は、筐体２１内に、送風ファン２７（図２参照）、室内熱交換器等の内部構造体を備える。空気調和機ＡＣは、室内空気を空気吸込口２２から吸い込み、室内熱交換器で加熱、冷却、除湿等された室内空気を、上下風向板２９により風向を変化させて室内に吹き出すことにより、室内を空気調和する。
【００１４】
また、室内機２０には、センサ部５０（図２参照）のひとつである撮像部２５を有する。撮像部２５は、例えばＣＣＤ（Charge Coupled Device）イメージセンサであり、前面パネルの左右方向中央の下部に設置されている。なお、室内機２０には、撮像部２５のほかにサーモパイル等の温度検知部を有していてもよい。後記する制御部３０（図２参照）は、撮像部２５を用いて部屋の広さを検知し、室温センサ２４（図２参照）を用いて気密性・断熱性を検知する。制御部３０は、冷房運転・暖房運転において、部屋の広さ、気密性・断熱性に応じて検知された室温、風向、風量を変化させ、その部屋に適した運転を行う制御をする。
【００１５】
図２は、本実施形態に係る空気調和機の制御部の構成を示す図である。制御部３０は、電装品に備えられている。制御部３０は、送受信部２６（図１参照）を介してリモコン４０からの情報と、センサ部５０からの情報に基づき、室内機２０の送風ファン２７、左右風向板２８、上下風向板２９を駆動し、室外機１０の圧縮機１１、プロペラファン１２を駆動する。
【００１６】
センサ部５０は、室内機２０と室外機１０に備えられている。センサ部５０は、室温センサ２４（温度検知部）、湿度センサ、時計、撮像部２５、外気温センサ、圧縮機温度センサ、冷媒配管温度センサ等により構成される。
【００１７】
制御部３０は、撮像部２５を制御する撮像制御部３１と、撮像部２５で撮影された画像に基づいて、部屋の広さを検知する広さ検知部３２と、室温の温度変化で気密性・断熱性を検知する気密断熱性検知部３３と、広さ検知部３２及び気密断熱性検知部３３での検知結果に応じて運転パラメータを補正し設定する補正部３４と、補正部３４の設定に応じて空調制御をする空調制御部３５と、記憶部３６とを有する。なお、ユーザがリモコン４０の自動運転ボタンを押すことで、センサ部５０の検知結果に基づいて、自動で冷房、暖房、除湿等を選択し、設定温度等も調整する自動運転を開始する。
【００１８】
記憶部３６は、例えば、ＲＯＭ（Read Only Memory）、ＲＡＭ（Random Access Memory）など含んで構成される。そして、ＲＯＭに記憶されたプログラムが制御部３０のＣＰＵ（Central Processing Unit）によって読み出されてＲＡＭに展開され、実行される。
【００１９】
広さ検知部３２は、撮像部２５で撮影された画像に基づいて、画像内のエッジを抽出し、太く長いエッジを抽出し、直線を延長し、交点を作成し、交点の重心点を消失点とすることにより、室内のコーナを検出し、検出したコーナを壁と壁の接線、あるいは壁と天井の接線、あるいは壁と床の接線とし、室内の壁や天井や床の面の位置を検出している。また、広さ検知部３２は、側面の壁や正面の壁までの距離を算出できる。距離算出の例示として、奥行き方向の距離の算出処理を、図３を参照して説明する。
【００２０】
図３は、部屋の奥行き方向の距離の算出処理を示す図であり、（ａ）は画像における消失点の縦の位置を示す図であり、（ｂ）は消失点の縦の位置とコーナまでの距離との関係を示す図である。
【００２１】
図３（ａ）は、撮像部２５が撮像した画像であり、（ａ）の画像には、二つの消失点９９（消失点９９Ａ及び消失点９９Ｂ）が含まれる。広さ検知部３２は、消失点９９から画像上端までの縦の長さａと、消失点９９から画像下端までの縦の長さｂとを、画像の画素等に基づいて取得する。
【００２２】
図３（ｂ）は、室内機２０とコーナとを含み、垂直方向と並行する平面を示す。図３（ｂ）に示す撮像部２５は、水平面から下方に４５°の画角を撮像する。このため、室内機２０からコーナまでの水平面上の距離Ｌと、画像における長さａ及び長さｂと、室内機２０が設置された高さｈとの関係は、以下の式１に示す比によって表現される。
【００２３】
Ｌ：ｈ＝（ａ＋ｂ）：ａ                              （式１）
そして、式１から、以下の式２が導かれる。
Ｌ＝（ａ＋ｂ）×ｈ／ａ                              （式２）
【００２４】
広さ検知部３２は、長さａ及び長さｂと、室内機２０が設置された高さｈと、（式２）とを用いて距離Ｌを算出できる。図３（ａ）のように消失点９９が複数検出されている場合、広さ検知部３２は、各々の消失点９９に対応する距離Ｌを算出する。なお、例えば、室内機２０が設置される高さｈは、例えば２メートルであり、広さ検知部３２は高さｈ（２メートル）をあらかじめ保持する。
【００２５】
なお、前述の例では、撮像部２５が水平面から下方に４５°の上下の画角を撮像した場合の画像を用いて長さａ及び長さｂを取得した。しかし、広さ検知部３２が、撮像部２５が撮像する上下の向きを示す角度を保持していれば、撮像部２５の向きは水平面から下方４５°に限られない。
【００２６】
例えば、撮像部２５が水平面を基準として上方に１０°から下方に３５°の画角を撮像していた場合も、広さ検知部３２が、撮像部２５の上下の角度の情報に基づいて撮像部２５と同じ高さに対応する位置を画像において特定することによって、長さａを取得することができる。また、広さ検知部３２は、長さｂの代わりに、撮像部２５によって撮像された画像の縦の長さ（ａ＋ｂ）を取得すれば、（式２）を用いて距離Ｌを算出することができる。
【００２７】
図２に戻り、広さ検知部３２は、自動で部屋の大きさを検知する。このことにより、ユーザに対する設定の煩わしさを解消し、更に誤った設定をされることによる不具合も防ぐことができる。
【００２８】
広さ検知部３２で広い部屋が検知された場合、補正部３４は予め設定された補正演算を行い、空調制御部３５は、上下風向板２９の角度を通常の位置に対し上向きに変化させる。これは、空気調和機から吹き出される空調された室内空気を、部屋の奥まで届かせるためである。これを行わないと、空気調和機に近い空間にしか空調された空気が届かず、例えば暖房運転では空気調和機の周囲のみが暖まり、離れたところでは温度が上がらず、部屋の中の温度差が大きくなってしまう。
【００２９】
また、広さ検知部３２で広い部屋が検知された場合、補正部３４は、送風ファン２７の回転速度（回転数）を補正し、空調制御部３５は風量を上げることにより、部屋の奥まで空調された空気を届けるようにする。特に、暖房では吹き出された空気は高温であり上昇しやすいため、空気調和機から離れた床面まで空調するためには風量の増加が必要である。
【００３０】
このようにして広い部屋に設置された場合にも、より部屋全体に空調された空気を循環させることで、温度の不均一を抑制するが、標準的な広さの部屋に対しては、温度の不均一は大きくなることが想定される。
【００３１】
そのため、広さ検知部３２で広い部屋が検知された場合、補正部３４は室温センサ２４の検出値の補正量の修正も行う。天井付近に設置される室内機２０の内部にある室温センサ２４と部屋の居住者の存在する床面近くの温度では、一般に天井側がより温度が高く、温度差があるため、居住者の存在する空間が設定温度になるよう、室内機２０の室温センサ２４の読込み値に補正を行っているが、部屋が広くなると、更に部屋の奥行き方向の温度差も大きくなってくるため、補正量をより大きくする必要がある。
【００３２】
具体的には、暖房運転では空気調和機周囲が暖まり、離れた空間では温度が低くなるため、室温センサ２４の検出値を低く補正し、逆に冷房時には、空気調和機周囲が冷やされるため、室温センサ２４の検出値を高く補正する。あるいは、暖房運転では空気調和機周囲が暖まり、離れた空間では温度が低くなるため、設定温度を高く補正し、逆に冷房時には、空気調和機周囲が冷やされるため、設定温度を低く補正してもよい。
【００３３】
なお、室内機２０に内蔵される室温センサ２４と居住者の存在する空間との温度差は、部屋の広さだけでなく、気密性や断熱性によるところも大きい。そのため、部屋の気密断熱性検知部３３を更に設けている。すなわち、部屋の大きさが同じであっても、部屋が高気密、高断熱であると検知された場合、室温センサ２４の読込み値の補正量の修正を小さくするとよい。同様に、部屋が低気密、低断熱であると検知された場合、室温センサ２４の読込み値の補正量の修正を大きくするとよい。
【００３４】
気密断熱性検知部３３の気密性や断熱性の検出は、以下のようにして自動で検出することができる。すなわち、その部屋の大きさで、標準的な気密性・断熱性を有する環境に設置されて空気調和機にて運転を行った際に、室温がある一定温度上昇するまでにかかった時間をデータとして記憶させておき、実際に設置された部屋で運転した時の、室温がある一定温度上昇するまでにかかった時間と比較することで、その部屋の気密性・断熱性を検出することができる。この時間が、標準的な部屋に対してより短ければ、より気密性・断熱性が高いと認識し、逆に時間がかかるほど気密性・断熱性が低いと認識する。
【００３５】
また、気密断熱性検知部３３は、検知された部屋の広さと、運転開始後の検出温度と該運転開始後の所定時間後の検出温度との温度差に基づき部屋の気密性・断熱性を検知してもよい。部屋の広さ及び部屋の気密性・断熱性に応じて制御パラメータの設定方法について、図４〜図９を参照して説明する。
【００３６】
図４は、部屋の大きさ、部屋の気密性・断熱性に基づく、室温センサ２４の読込み値と部屋の平均温度との温度差を示す図である。縦軸に部屋の大きさをとり、横軸に部屋の気密性・断熱性をとっている。部屋の大きさは、狭い場合、平均的な場合、広い場合の３通りとする。また、気密性・断熱性は、高い場合、標準的な場合（中の場合）、低い場合の３通りとする。
【００３７】
図４に示す部屋の大きさが「平均」において、気密性・断熱性が「中」の場合、室温センサ２４の読込み値と部屋の平均温度との温度差を「中」とすると、気密性・断熱性が「高」の場合、温度差は「やや小」となり、気密性・断熱性が「低」の場合、温度差は「やや大」となる。
【００３８】
同様に、部屋の大きさが「狭い」において、気密性・断熱性が「低」の場合、温度差が「中」となり、気密性・断熱性が「中」の場合、温度差が「やや小」となり、気密性・断熱性が「高」の場合、温度差が「小」となる。
【００３９】
同様に、部屋の大きさが「広い」において、気密性・断熱性が「高」の場合、温度差が「中」となり、気密性・断熱性が「中」の場合、温度差が「やや大」となり、気密性・断熱性が「低」の場合、温度差が「大」となる。
【００４０】
すなわち、部屋の大きさが広く、かつ、気密性・断熱性が低い場合には、室内機２０からの送風される気流が部屋全体に循環せず、室内機２０内にある室温センサ２４での検知する温度と部屋全体の平均温度との温度差が大きいことを示し、一方、部屋の大きさが狭く、かつ、気密性・断熱性が高い場合には、室内機２０からの送風される気流が部屋全体に循環しており、室内機２０内にある室温センサ２４での検知する温度と部屋全体の平均温度との温度差が小さいことを示している。
【００４１】
図５は、部屋の大きさ、部屋の気密性・断熱性に基づく、暖房時におけるサーモオフ時の室温の低下速度を示す図である。縦軸に部屋の大きさをとり、横軸に部屋の気密性・断熱性をとっている。部屋の大きさは狭い場合、平均的な場合、広い場合の３通りとする。また、気密性・断熱性は、高い場合、標準的な場合（中の場合）、低い場合の３通りとする。
【００４２】
一般的に、サーモオフとは、部屋の温度が設定温度に達した場合、室外機１０が停止して部屋を暖房時には暖める（冷房時には冷やす）動作をストップする。サーモオフの場合、室外機１０のみが停止するので室内機２０は運転したままで、運転している間は常に室内・室外ともに動作している訳ではなく、室外機１０は部屋の温度によって発停を繰り返す。部屋の温度は室温センサ２４で判断する。
【００４３】
図５に示す部屋の大きさが「平均」において、気密性・断熱性が「中」の場合、暖房時におけるサーモオフ時の室温の低下速度を「中」とすると、気密性・断熱性が「高」の場合、低下速度は「やや小」となり、気密性・断熱性が「低」の場合、低下速度は「やや大」となる。
【００４４】
同様に、部屋の大きさが「狭い」において、気密性・断熱性が「高」の場合、低下速度が「中」となり、気密性・断熱性が「中」の場合、低下速度が「やや大」となり、気密性・断熱性が「低」の場合、低下速度が「大」となる。
【００４５】
同様に、部屋の大きさが「広い」において、気密性・断熱性が「低」の場合、低下速度が「中」となり、気密性・断熱性が「中」の場合、低下速度が「やや小」となり、気密性・断熱性が「高」の場合、低下速度が「小」となる。
【００４６】
すなわち、部屋の大きさが狭く、かつ、気密性・断熱性が低い場合には、部屋の大きさに対し室内から室外への空気の流出及び熱の逃げが大きいため、暖房時におけるサーモオフ時の室温の低下速度が大きいことを示し、一方、部屋の大きさが広く、かつ、気密性・断熱性が高い場合には、部屋の大きさに対し室内から室外への空気の流出及び熱の逃げが小さいため、暖房時におけるサーモオフ時の室温の低下速度が小さいことを示している。
【００４７】
なお、図５は、部屋の大きさ、部屋の気密性・断熱性に基づく、冷房時におけるサーモオフ時の室温の上昇速度を示す図であるとみなすことができる。
【００４８】
次に、図４及び図５の特性を考慮して、部屋の広さ及び気密性・断熱性に応じて、温度補正処理について説明する。
【００４９】
図６は、室温の温度補正処理及びサーモオフ復帰（サーモ復帰）の温度補正処理を示すフローチャートである。図７は、狭い部屋の場合の温度補正処理を示すフローチャートである。図８は、平均的な部屋の場合の温度補正処理を示すフローチャートである。図９は、広い部屋の場合の温度補正処理を示すフローチャートである。
【００５０】
図６において、制御部３０は、運転を開始すると、広さ検知部３２が部屋の広さを判定し（処理Ｓ６０）、狭い部屋の場合は処理Ｓ６１に進み、平均的な部屋の場合は処理Ｓ６２に進み、広い部屋の場合は処理Ｓ６３に進む。
【００５１】
図７において、気密断熱性検知部３３は、室温センサ２４で検知した室温の温度変化を、狭い部屋で平均的な気密性・断熱性の部屋の室温の温度変化と比較し（処理Ｓ７０）、温度変化が小さい場合（処理Ｓ７０，小）、部屋の気密性・断熱性は低いと判定する（処理Ｓ７１）。そして、補正部３４において、室温の温度補正は標準のままとし（処理Ｓ７４）、サーモ復帰の温度補正は大きくし（処理Ｓ７７）、温度補正処理を終了する。
【００５２】
処理Ｓ７４は、図４において、部屋の大きさが「狭い」において、気密性・断熱性が「低」の場合、温度差が「中」に対応する。処理Ｓ７７は、図５における、部屋の大きさが「狭い」において、気密性・断熱性が「低」の場合、低下速度が「大」に対応する。すなわち、低下速度が大きいので、サーモ復帰の温度補正を大きくすることにより、室外機１０を早めに起動して暖房時に部屋を暖めることができる。
【００５３】
処理Ｓ７０において、気密断熱性検知部３３は、温度変化が同等の場合（処理Ｓ７０，同等）、部屋の気密性・断熱性は平均的と判定する（処理Ｓ７２）。そして、補正部３４において、室温の温度補正はやや小さくし（処理Ｓ７５）、サーモ復帰の温度補正はやや大きくし（処理Ｓ７８）、温度補正処理を終了する。
【００５４】
処理Ｓ７５は、図４において、部屋の大きさが「狭い」において、気密性・断熱性が「中」の場合、温度差が「やや小」に対応する。処理Ｓ７８は、図５における、部屋の大きさが「狭い」において、気密性・断熱性が「中」の場合、低下速度が「やや大」に対応する。
【００５５】
処理Ｓ７０において、気密断熱性検知部３３は、温度変化が大きい場合（処理Ｓ７０，大）、部屋の気密性・断熱性は高いと判定する（処理Ｓ７３）。そして、補正部３４は、室温の温度補正は小さくし（処理Ｓ７６）、サーモ復帰の温度補正は標準のままとし（処理Ｓ７９）、温度補正処理を終了する。
【００５６】
処理Ｓ７６は、図４において、部屋の大きさが「狭い」において、気密性・断熱性が「高」の場合、温度差が「小」に対応する。処理Ｓ７９は、図５における、部屋の大きさが「狭い」において、気密性・断熱性が「高」の場合、低下速度が「中」に対応する。
【００５７】
図８において、気密断熱性検知部３３は、室温センサ２４で検知した室温の温度変化を、平均的な広さの部屋で平均的な気密性・断熱性の部屋の室温の温度変化と比較し（処理Ｓ８０）、温度変化が小さい場合（処理Ｓ８０，小）、部屋の気密性・断熱性は低いと判定する（処理Ｓ８１）。そして、補正部３４において、室温の温度補正はやや大きくし（処理Ｓ８４）、サーモ復帰の温度補正はやや大きくし（処理Ｓ８７）、温度補正処理を終了する。
【００５８】
処理Ｓ８４は、図４において、部屋の大きさが「平均」において、気密性・断熱性が「低」の場合、温度差が「やや大」に対応する。処理Ｓ８７は、図５における、部屋の大きさが「平均」において、気密性・断熱性が「低」の場合、低下速度が「やや大」に対応する。
【００５９】
処理Ｓ８０において、気密断熱性検知部３３は、温度変化が同等の場合（処理Ｓ８０，同等）、部屋の気密性・断熱性は平均的と判定する（処理Ｓ８２）。そして、補正部３４において、室温の温度補正は標準のままとし（処理Ｓ８５）、サーモ復帰の温度補正は標準のままとし（処理Ｓ８８）、温度補正処理を終了する。
【００６０】
処理Ｓ８５は、図４において、部屋の大きさが「平均」において、気密性・断熱性が「中」の場合、温度差が「中」に対応する。処理Ｓ８８は、図５における、部屋の大きさが「平均」において、気密性・断熱性が「中」の場合、低下速度が「中」に対応する。
【００６１】
処理Ｓ８０において、気密断熱性検知部３３は、温度変化が大きい場合（処理Ｓ８０，大）、部屋の気密性・断熱性は高いと判定する（処理Ｓ８３）。そして、補正部３４において、室温の温度補正はやや小さくし（処理Ｓ８６）、サーモ復帰の温度補正はやや小さくし（処理Ｓ８９）、温度補正処理を終了する。
【００６２】
処理Ｓ８６は、図４において、部屋の大きさが「平均」において、気密性・断熱性が「高」の場合、温度差が「やや小」に対応する。処理Ｓ８９は、図５における、部屋の大きさが「平均」において、気密性・断熱性が「高」の場合、低下速度が「やや小」に対応する。
【００６３】
図９において、気密断熱性検知部３３は、室温センサ２４で検知した室温の温度変化を、広い部屋で平均的な気密性・断熱性の部屋の室温の温度変化と比較し（処理Ｓ９０）、温度変化が小さい場合（処理Ｓ９０，小）、部屋の気密性・断熱性は低いと判定する（処理Ｓ９１）。そして、補正部３４において、室温の温度補正は大きくし（処理Ｓ９４）、サーモ復帰の温度補正は標準のままとし（処理Ｓ９７）、温度補正処理を終了する。
【００６４】
処理Ｓ９４は、図４において、部屋の大きさが「広い」において、気密性・断熱性が「低」の場合、温度差が「大」に対応する。処理Ｓ９７は、図５における、部屋の大きさが「広い」において、気密性・断熱性が「高」の場合、低下速度が「中」に対応する。
【００６５】
処理Ｓ９０において、気密断熱性検知部３３は、温度変化が同等の場合（処理Ｓ９０，同等）、部屋の気密性・断熱性は平均的と判定する（処理Ｓ９２）。そして、補正部３４において、室温の温度補正はやや大きくし（処理Ｓ９５）、サーモ復帰の温度補正はやや小さくし（処理Ｓ９８）、温度補正処理を終了する。
【００６６】
処理Ｓ９５は、図４において、部屋の大きさが「広い」において、気密性・断熱性が「中」の場合、温度差が「やや大」に対応する。処理Ｓ９８は、図５における、部屋の大きさが「広い」において、気密性・断熱性が「中」の場合、低下速度が「やや小」に対応する。
【００６７】
処理Ｓ９０において、気密断熱性検知部３３は、温度変化が大きい場合（処理Ｓ９０，大）、部屋の気密性・断熱性は高いと判定する（処理Ｓ９３）。そして、補正部３４において、室温の温度補正は標準のままとし（処理Ｓ９６）、サーモ復帰の温度補正は小さくし（処理Ｓ９９）、温度補正処理を終了する。
【００６８】
処理Ｓ９６は、図４において、部屋の大きさが「広い」において、気密性・断熱性が「高」の場合、温度差が「中」に対応する。処理Ｓ９９は、図５における、部屋の大きさが「広い」において、気密性・断熱性が「高」の場合、低下速度が「小」に対応する。
【００６９】
以上の温度補正処理により、設定温度と部屋の実温度との温度差を小さくし、また、サーモオフ時の部屋の温度が暖房時下がりすぎて肌寒く感じる、または、冷房時上がりすぎて暑く感じることを防止することができる。
【００７０】
図１０は、部屋の大きさが変更される場合の例を示す図であり、（ａ）は和室と洋室とがスライドドアで仕切られている場合、（ｂ）はスライドドアが開放された場合である。図１０（ａ）において、空気調和機が標準として８畳の部屋の広さに設定されている場合、右側の洋室の空調は、標準設定のままで十分に暖房等を適切に行えるが、図１０（ｂ）の場合には、スライドドアが開放されているため、部屋全体が約１４畳となり、現在の標準設定のままでは、例えば、暖房時にはなかなか暖まらない状況が発生する。
【００７１】
本実施形態の空気調和機ＡＣの場合、広さ検知部３２が部屋の大きさを検知し、気密断熱性検知部３３が気密性・断熱性を検知し、それに応じた風向、風量、温度補正を行うことで、幅広い部屋の大きさに対し、室内温度の不均一を抑え、快適性を維持する空気調和機ＡＣを提供することができる。
【００７２】
以上、本実施形態の空気調和機ＡＣは、部屋の広さ、気密性・断熱性に応じ風量や風向などのパラメータを変化させる手段を設けている。空気調和機ＡＣの運転開始時、または、所定時間ごとにパラメータを設定することで、断熱性や気密性の低い狭い部屋から、気密性や断熱性の高い広い部屋まで、幅広い部屋の大きさ、気密性・断熱性に対し、その部屋に適した空調を行うことができる。また、同様に、部屋の広さ、気密性・断熱性に応じて温度センサの検出値に対し補正を設けることにより、空気調和機ＡＣから離れた所でも設定温度に到達するように制御することが可能となる。本実施形態によれば、幅広い部屋の大きさに対し、室内温度の不均一を抑え、快適性を維持する空気調和機ＡＣを提供することができる。
【００７３】
本実施形態では、自動的に、部屋の広さ、気密性・断熱性を検知しているがこれに限定されるわけではない。例えば、室内機２０または室外機１０に搭載される切り替えスイッチの様なものがあげられる。また他に、リモコン４０の設定で選択できるようにしてもよい。この選択では、標準的な大きさの部屋と、それに対し、ある程度以上広い部屋と言う様に選択可能とする。具体的には、例えば６畳用の能力クラスの空気調和機では、８畳以上の部屋に設置する場合に広い部屋として選択する。なお、部屋の広さの設定は、更に細かく３段階以上から選択してもよい。また、部屋の広さの代わりに、空気調和機が設置された壁面から対向する壁面までの距離を選択するようにしてもよい。気密性・断熱性の選択も、３段階以上から選択してもよい。
【符号の説明】
【００７４】
１０    室外機
２０    室内機
２１    室内機筐体
２２    空気吸込口
２４    室温センサ（温度検知部）
２５    撮像部
２６    送受信部
２７    送風ファン
２８    左右風向板
２９    上下風向板（風向板）
３０    制御部
３１    撮像制御部
３２    広さ検知部
３３    気密断熱性検知部（気密性・断熱性検知部）
３４    補正部
３５    空調制御部
３６    記憶部
４０    リモコン（空調制御端末）
５０    センサ部
６０    接続配管
ＡＣ    空気調和機
【図１】
0006746202.tif 000002
【図２】
0006746202.tif 000003
【図３】
0006746202.tif 000004
【図４】
0006746202.tif 000005
【図５】
0006746202.tif 000006
【図６】
0006746202.tif 000007
【図７】
0006746202.tif 000008
【図８】
0006746202.tif 000009
【図９】
0006746202.tif 000010
【図１０】
0006746202.tif 000011